(57)【要約】【課題】スプールの全幅およびフランジ厚みを一定としながら、巻き芯の巻き幅を容易に変更できるようにすると共に、そのスプールの部品を成形金型によって安価に作製できるようにする。【解決手段】スプール１を２分割構成とし、各スプール部品５のフランジ２の外側にスペーサー３を設け、スプール１の全幅Ａおよびフランジ厚みｃを一定としながら、長尺テープ材７の幅寸法に応じて巻き幅ｂを変更し、この変更にともなってスペーサー幅ｄを調整する。また、一対の成形型１１、１２の内部において、スペーサー用スライドコア１４、軸孔用スライドコア１７および巻き芯用スライドコア１６を一体的に移動させ、部品幅ａおよびフランジ厚みｃを一定の値としながら、巻き幅ｂを巻き付け対象の長尺テープ材の幅寸法に適合させる。【選択図】図１
2010052140.tif 000002
【特許請求の範囲】
【請求項１】
フランジ（２）の一方の側面にスペーサー（３）を、他方の側面に筒状の巻き芯（４）をそれぞれ一体に設けて、スプール部品（５）を構成し、２つのスプール部品（５）の巻き芯（４）の端面どうしを接合面（６）として接合することにより、一定の全幅（Ａ）で、全巻き幅（Ｂ）のスペーサー一体型スプール（１）を構成するとともに、上記スプール部品（５）において、フランジ（２）のフランジ厚み（ｃ）を指定の値とし、かつスペーサー（３）、フランジ（２）および巻き芯（４）の各幅を合計した部品幅（ａ）を一定の値とし、巻き芯（４）の巻き幅（ｂ）を変更し、この変更分に応じてスペーサー（３）のスペーサー幅（ｄ）を調整することにより、全幅（Ａ）を取付け装置に合わせた一定の値としながら、全巻き幅（Ｂ）を巻き付け対象の長尺テープ材（７）の幅寸法に適合する値とする、ことを特徴とするスペーサー一体型スプール（１）。
【請求項２】
同一の寸法を有する２つのスプール部品（５）の巻き芯（４）の端面どうしを接合面（６）として接合した、ことを特徴とする請求項１記載のスペーサー一体型スプール（１）。
【請求項３】
巻き幅（ｂ）およびスペーサー幅（ｄ）がそれぞれ部品間で相異なる２つのスプール部品（５）を巻き芯（４）の端面どうしを接合面（６）として接合した、ことを特徴とする請求項１記載のスペーサー一体型スプール（１）。
【請求項４】
フランジ（２）の一方の側面にスペーサー（３）を、他方の側面に筒状の巻き芯（４）をそれぞれ一体に設けてなるスプール部品（５）の成形のための成形金型（９）であって、一対の成形型（１１、１２）の内部にスプール部品（５）の外形と同じ成形空間（１０）を形成するとともに、一方の成形型（１１）のスペーサー（３）に対応する位置にスペーサー空間（１３）を形成しておき、このスペーサー空間（１３）の内部にスペーサー用スライドコア（１４）を巻き芯（４）の中心軸線方向に移動自在に挿入し、また他方の成形型（１２）の巻き芯（４）に対応する位置に巻き芯空間（１５）を形成しておき、この巻き芯空間（１５）の内部に巻き芯用スライドコア（１６）を巻き芯（４）の中心軸線方向に移動自在に挿入し、さらにスペーサー用スライドコア（１４）および巻き芯用スライドコア（１６）のいずれかに、スペーサー（３）、フランジ（２）および巻き芯（４）の各幅を合計した部品幅（ａ）の寸法に等しい軸孔用スライドコア（１７）を設けてなる、ことを特徴とするスプール部品（５）の成形金型（９）。
【請求項５】
スペーサー用スライドコア（１４）および巻き芯用スライドコア（１６）のいずれかへの軸孔用スライドコア（１７）の取り付けにおいて、スペーサー用スライドコア（１４）および巻き芯用スライドコア（１６）のいずれかから軸孔用スライドコア（１７）が巻き芯（４）の中心軸方向に突出す長さを調節自在として設ける、ことを特徴とする請求項４記載のスプール部品（５）の金型（９）。
【請求項６】
フランジ（２）の一方の側面にスペーサー（３）を、他方の側面に筒状の巻き芯（４）をそれぞれ一体に設けてなるスプール部品（５）の成形に際して、
一対の成形型（１１、１２）の内部にスプール部品（５）の外形と同じ成形空間（１０）を形成するとともに、一方の成形型（１１）のスペーサー（３）に対応する位置にスペーサー空間（１３）を形成しておき、このスペーサー空間（１３）の内部にスペーサー用スライドコア（１４）を巻き芯（４）の中心軸線方向に移動自在に挿入し、また他方の成形型（１２）の巻き芯（４）に対応する位置に巻き芯空間（１５）を形成しておき、この巻き芯空間（１５）の内部に巻き芯用スライドコア（１６）を巻き芯（４）の中心軸線方向に移動自在に挿入し、さらにスペーサー用スライドコア（１４）および巻き芯用スライドコア（１６）のいずれかに、スペーサー（３）、フランジ（２）および巻き芯（４）の各幅を合計した部品幅（ａ）の寸法に等しい軸孔用スライドコア（１７）を設けてなり、
一対の成形型（１１、１２）の成形空間（１０）の内部において、スペーサー用スライドコア（１４）と巻き芯用スライドコア（１６）との間に軸孔用スライドコア（１７）を介在させた状態で、スペーサー用スライドコア（１４）、軸孔用スライドコア（１７）および巻き芯用スライドコア（１６）を隙間無く当接させ、一体的に移動させることによって、フランジ（２）のフランジ厚み（ｃ）を指定の値とし、かつ部品幅（ａ）を一定の値としながら、巻き芯（４）の巻き幅（ｂ）を巻き付け対象の長尺テープ材（７）の幅寸法に適合させる、ことを特徴とするスプール部品（５）の製造方法。
【請求項７】
請求項６に記載の方法で成形した２つのスプール部品（５）の巻き芯（４）の端面どうしを接合面（６）として接合することにより製造する、ことを特徴とするスペーサー一体型スプール（１）
【請求項８】
一方のスプール部品（５）は、スペーサー（３）がなく、フランジ（２）と巻き芯（４）のみで構成され、かつ、両方のスプール部品（５）は部品幅（ａ）が等しい、ことを特徴とする請求項３記載のスペーサー一体型スプール（１）
【発明の詳細な説明】
【技術分野】
【０００１】
本発明は、電子部品用のはんだやアルミ等の長尺テープ材を巻き取るためのスプール、そのスプール部品の成形金型、およびスプール部品の製造方法に関する。
【背景技術】
【０００２】
電子部品用の長尺テープ材は、通常、スプールの巻き芯に巻きつけられて、製品として搬送される。スプールの巻き芯は、２枚のフランジの間に位置し、その幅は長尺テープ材の幅よりも適切な隙間分だけ大きくしてある。その隙間が広すぎると、長尺テープ材の巻き取り時に、段落ち、使用時の絡み、曲がり等の不具合が発生するため、隙間は最小限に抑えられている。このため、多品種の長尺テープ材の幅に応じて、巻き芯幅が異なり、そのためにスプールの全幅が異なるスプールが必要となる。
【０００３】
例えば特許文献１のスプールは、巻き芯の全幅を数枚の板で接着する事により調整している。その技術によると、スプール全幅が巻き芯の全幅の調整によって変化してしまう。
【０００４】
一方、スプールに巻かれた長尺テープ材は、自動機などの取付け装置の軸部分に取付けて使用される。従来、スプールは、取付け装置の軸部分に対して１連の取付け状態として使用されていたが、近年、長尺テープ材の幅狭化および生産性向上のために、多連の取付け状態として使用されることが多くなってきている。また、同一の取付け装置で、多品種の製品を交互に生産する必要があるため、様々の幅の長尺テープ材を使用できるようにしなければならない。
【０００５】
ところが、各種の長尺テープ材の幅に応じて、上記の特許文献１のように、スプールの全幅が異なると、多連で多品種の長尺テープ材を使用する場合に、品種交換毎に多連に配置したスプールの中心ピッチにずれが生じ、取付け装置と長尺テープ材との間での位置調整が毎回必要になる。このことから、スプールの全幅は、取付け装置に対して一定であることが好ましい。
【０００６】
この位置調整を無くすために、スプールの全幅を一定にして、巻き芯の幅を増減させるとすれば、フランジ厚みが品種毎に異なり、特に、薄いフランジではその強度が不足することになるため、スプールの全幅の調整に限界がある。また、スプールは、大量に使用されるため、射出成型で作製される事が多いが、スプールの全幅を一定にする場合、上記のように、フランジ厚みが違うようになり、スプールとしてもっとも大きい直径部分のフランジの変更は、射出金型の強度設計上困難であり、品種毎に金型を新規に作製する必要がでてくるため、膨大なコストがかかる事になる。
【０００７】
【特許文献１】特開平２００７−３０８２７６号公報
【発明の開示】
【発明が解決しようとする課題】
【０００８】
したがって、本発明の課題は、スプールの全幅およびフランジ厚みを一定または指定の値としながら、巻き芯の巻き幅を容易に変更できるようにすると共に、そのスプールの部品を成形金型によって安価に作製できるようにすることである。
【課題を解決するための手段】
【０００９】
上記の課題のもとに、本発明は、スプールを２分割構成とし、２分割した各スプール部品のフランジの外側にスペーサーを一体として設け、このスペーサーの幅を調整可能としておき、スプールの全幅およびフランジ厚みを一定としながら、長尺テープ材の幅寸法に応じて巻き芯の巻き幅を変更し、この変更にともなってスペーサーの幅を調整するようにしている。ここでスプールの全幅は、適用する取付け装置に対して一定の値であり、フランジ厚みは、必要とされる強度を確保する観点から指定の値としてある。
【００１０】
また、本発明は、一対の成形型の内部において、スペーサー用スライドコア、軸孔用スライドコアおよび巻き芯用スライドコアを一体的に移動させることによって、スプール部品幅を一定の値とし、フランジ厚みを指定の値としながら、巻き幅を巻き付け対象の長尺テープ材の幅寸法に適合させるようにしている。
【００１１】
具体的に記載すると、請求項１に係る発明は、フランジ（２）の一方の側面にスペーサー（３）を、他方の側面に筒状の巻き芯（４）をそれぞれ一体に設けて、スプール部品（５）を構成し、２つのスプール部品（５）の巻き芯（４）の端面どうしを接合面（６）として接合することにより、一定の全幅（Ａ）で、全巻き幅（Ｂ）のスペーサー一体型スプール（１）を構成するとともに、上記スプール部品（５）において、フランジ（２）のフランジ厚み（ｃ）を指定の値とし、かつスペーサー（３）、フランジ（２）および巻き芯（４）の各幅を合計した部品幅（ａ）を一定の値とし、巻き芯（４）の巻き幅（ｂ）を変更し、この変更分に応じてスペーサー（３）のスペーサー幅（ｄ）を調整することにより、全幅（Ａ）を取付け装置に合わせた一定の値としながら、全巻き幅（Ｂ）を巻き付け対象の長尺テープ材（７）の幅寸法に適合する値としている。
【００１２】
請求項２に係る発明は、同一の寸法を有する２つのスプール部品（５）の巻き芯（４）の端面どうしを接合面（６）として接合した、ことを特徴とする請求項１記載のスペーサー一体型スプール（１）である。
【００１３】
請求項３に係る発明は、巻き幅（ｂ）およびスペーサー幅（ｄ）がそれぞれ部品間で相異なる２つのスプール部品（５）を巻き芯（４）の端面どうしを接合面（６）として接合した、ことを特徴とする請求項１記載のスペーサー一体型スプール（１）である。
【００１４】
請求項４に係る発明は、フランジ（２）の一方の側面にスペーサー（３）を、他方の側面に筒状の巻き芯（４）をそれぞれ一体に設けてなるスプール部品（５）の成形のための成形金型（９）であって、一対の成形型（１１、１２）の内部にスプール部品（５）の外形と同じ成形空間（１０）を形成するとともに、一方の成形型（１１）のスペーサー（３）に対応する位置にスペーサー空間（１３）を形成しておき、このスペーサー空間（１３）の内部にスペーサー用スライドコア（１４）を巻き芯（４）の中心軸線方向に移動自在に挿入し、また他方の成形型（１２）の巻き芯（４）に対応する位置に巻き芯空間（１５）を形成しておき、この巻き芯空間（１５）の内部に巻き芯用スライドコア（１６）を巻き芯（４）の中心軸線方向に移動自在に挿入し、さらにスペーサー用スライドコア（１４）および巻き芯用スライドコア（１６）のいずれかに、スペーサー（３）、フランジ（２）および巻き芯（４）の各幅を合計した部品幅（ａ）の寸法に等しい軸孔用スライドコア（１７）を設けてスプール部品（５）の成形金型（９）を構成している。
【００１５】
請求項５に係る発明は、軸孔用スライドコア（１７）の、スペーサー用スライドコア（１４）および巻き芯用スライドコア（１６）のいずれかへの取り付けにおいて、スペーサー用スライドコア（１４）および巻き芯用スライドコア（１６）のいずれかから軸孔用スライドコア（１７）が巻き芯（４）の中心軸方向に突出す長さを調節自在として設けられている金型である。
【００１６】
請求項６に係る発明は、フランジ（２）の一方の側面にスペーサー（３）を、他方の側面に筒状の巻き芯（４）をそれぞれ一体に設けてなるスプール部品（５）の成形に際して、一対の成形型（１１、１２）の内部にスプール部品（５）の外形と同じ成形空間（１０）を形成するとともに、一方の成形型（１１）のスペーサー（３）に対応する位置にスペーサー空間（１３）を形成しておき、このスペーサー空間（１３）の内部にスペーサー用スライドコア（１４）を巻き芯（４）の中心軸線方向に移動自在に挿入し、また他方の成形型（１２）の巻き芯（４）に対応する位置に巻き芯空間（１５）を形成しておき、この巻き芯空間（１５）の内部に巻き芯用スライドコア（１６）を巻き芯（４）の中心軸線方向に移動自在に挿入し、さらにスペーサー用スライドコア（１４）および巻き芯用スライドコア（１６）のいずれかに、スペーサー（３）、フランジ（２）および巻き芯（４）の各幅を合計した部品幅（ａ）の寸法に等しい軸孔用スライドコア（１７）を設けてなり、一対の成形型（１１、１２）の成形空間（１０）の内部において、スペーサー用スライドコア（１４）と巻き芯用スライドコア（１６）との間に軸孔用スライドコア（１７）を介在させた状態で、スペーサー用スライドコア（１４）、軸孔用スライドコア（１７）および巻き芯用スライドコア（１６）を一体的に移動させることによって、フランジ（２）のフランジ厚み（ｃ）を指定の値とし、かつ部品幅（ａ）を一定の値としながら、巻き芯（４）の巻き幅（ｂ）を巻き付け対象の長尺テープ材（７）の幅寸法に適合させる製造方法である。
【００１７】
請求項７に係る発明は、請求項６に記載の方法で成形した２つのスプール部品（５）の巻き芯（４）の端面どうしを接合面（６）として接合することにより製造する、ことを特徴とするスペーサー一体型スプール（１）である。
【００１８】
請求項８に係る発明は、一方のスプール部品（５）は、スペーサー（３）がなく、フランジ（２）と巻き芯（４）のみで構成され、かつ、両方のスプール部品（５）は部品幅（ａ）が等しい、ことを特徴とする請求項３に記載のスペーサー一体型スプール（１）である。
【発明の効果】
【００１９】
請求項１に係る発明によると、全巻き幅(Ｂ)を巻き付け対象の長尺テープ材（７）の幅寸法に適合する寸法として変更し、この変更分に応じてスペーサー幅（ｄ）を調整するから、フランジ厚み（ｃ）を指定の厚みとし、かつ全幅（Ａ）を取付け装置に合わせた一定の値としながら、全巻き幅（Ｂ）を長尺テープ材（７）の幅寸法に適合する値に設定することができる。これによって、全巻き幅（Ｂ）の変更によっても、フランジ（２）の強度が確保でき、また取付け装置での長尺テープ材（７）の使用に際して、長尺テープ材（７）の中心ずれや、位置調整の必要もなくなる。特に、同一のスプール部品（５）の製作によって、スペーサー一体型スプール（１）が得られるから、部品の数が少なくてよく、成形装置も共通に利用でき、スペーサー一体型スプール（１）が安価に製造できる。
【００２０】
請求項２に係る発明によると、２つのスプール部品（５）が左右対称であり、同じ２つのスプール部品（５）の製作によって、スペーサー一体型スプール（１）が得られるから、仕掛在庫となる部品の数が少なくてよく、成形装置も共通に利用でき、スペーサー一体型スプール（１）が安価に製造できる。
【００２１】
請求項３に係る発明によると、２つのスプール部品（５）は左右非対称構造をとりえることから、それらの巻き幅（ｂ）やスペーサー幅（ｄ）の変更によって、全幅（Ａ）を取付け装置に合わせた一定の値とし、全巻き幅（Ｂ）を各種の長尺テープ材（７）の幅寸法に適合させた上で、全巻き幅（Ｂ）の中心を全幅（Ａ）の中心から変位させたスペーサー一体型スプールを提供できるので、長尺テープの幅方向の位置をスプールを取り付ける装置側の所定位置となるようにセットすることができる。
【００２２】
請求項４に係る発明によると、一対の成形型（１１、１２）の閉じた状態でフランジ厚み（ｃ）が所定の値に規制され、また成形空間（１０）の内部で、スペーサー用スライドコア（１４）、軸孔用スライドコア（１７）および巻き芯用スライドコア（１６）を一体的に移動させることによって、一対の成形型（１１、１２）をそのまま利用しながら巻き幅（ｂ）を増減することができる。これによって、同じ成形金型（９）によって、フランジ厚み（ｃ）を指定の値とし、部品幅（ａ）を一定の値としながら、巻き幅（ｂ）の異なるスプール部品（５）の成形が可能となるので、設備投資額を低減できる。
【００２３】
なお、請求項５に係る発明によると、部品幅（ａ）を決定する軸孔用スライドコア（１７）がスペーサー用スライドコア（１４）および巻き芯用スライドコア（１６）のいずれかのものに、巻き芯（４）の中心軸線方向に突き出し長さ調節自在として設けられているから、同じ金型（９）を用いながら、部品幅（ａ）の変更が容易となる。
【００２４】
請求項６に係る発明によると、スペーサー用スライドコア（１４）、軸孔用スライドコア（１７）および巻き芯用スライドコア（１６）を一対の成形型（１１、１２）の内部で一体的に移動させることによって、巻き幅（ｂ）を変更することができる。従って、一対の成形型（１１、１２）をそのまま利用しながら、スペーサー用スライドコア（１４）、軸孔用スライドコア（１７）および巻き芯用スライドコア（１６）の移動という簡単な操作によって、各種の長尺テープ材（７）の幅寸法に適合するスプール部品（５）を成形することができる。
【００２５】
請求項７に係る発明によれば、上記請求項６の方法によって製造される種々の寸法のスペーサー一体型スプール（１）が得られる。
【００２６】
請求項８に係る発明によれば、上記請求項３で得られる非対称のスペーサー一体型スプール（１）の中でも、片側のスペーサーが無いので、全幅（Ａ）の中心に対する全巻き幅（Ｂ）の中心の変位量を最大としたスペーサー一体型スプール（１）が得られる。
【発明を実施するための最良の形態】
【００２７】
図１および図２は、本発明に係るスペーサー一体型スプール１を示している。スペーサー一体型スプール１は、２つの同じスプール部品５からなっており、各スプール部品５は、円板状のフランジ２の一方の側面に筒状のスペーサー３を、他方の側面に筒状の巻き芯４をそれぞれ一体に設けた構造となっている。フランジ２のフランジ厚みｃは、強度上必要な指定の値を満足し、固定値として設定されている。なお、フランジ２、スペーサー３および巻き芯４は、その中心位置で両側面に貫通する軸孔８を形成している。この軸孔８は自動機の取付け装置の軸部分に取付けて、セットするときの挿入孔となる。
【００２８】
２つの同じスプール部品５は、巻き芯４の端面どうしを接合面６として接着または接合することによって、スペーサー一体型スプール１となる。このスペーサー一体型スプール１は、一定の全幅Ａで、全巻き幅Ｂであり、左右対称である。両方の巻き芯４の接合面６の接合は、例えば軸孔８の軸径と同径の棒状のジグに左右のスプール部品５を挿入してセットし、当接状態の接合面６を超音波接合することによって、位置ずれや接着物のはみ出し等もなく、良好な状態で接合できる。なお、スプール部品５は左右対称であるから、巻き芯４の接合位置は対称軸上（中心位置）にある。
【００２９】
完成品としてのスペーサー一体型スプール１の全幅Ａは、自動機の取付け装置にセットするときに要求される一定の値であって、可変値ではなく、その取付け装置に関して固定値である。この全幅Ａは、〔（巻き芯４の巻き幅ｂ×２）＋（フランジ２のフランジ厚みｃ×２）＋（スペーサー３のスペーサー幅ｄ×２）〕となっている。また、スペーサー一体型スプール１の全巻き幅Ｂは、巻き付け対象の長尺テープ材７の幅寸法に適合する寸法、すなわち長尺テープ材７の幅寸法と適切な余裕寸法との和であり、（巻き芯４の巻き幅ｂ×２）として設定されている。対となるスプール部品５は、左右対称であるから、全幅Ａは、巻き芯４の中心軸線方向で、一方のスペーサー３の外側面から巻き芯４の接合面６までの部品幅ａ×２であり、また、スペーサー一体型スプール１の全巻き幅Ｂは、スプール部品５の巻き幅ｂ×２となっている。
【００３０】
そして、スペーサー一体型スプール１の全巻き幅Ｂの変更は、スプール部品５の巻き幅ｂの増減によって行われる。巻き幅ｂを変更するときは、巻き幅ｂを巻き付け対象の長尺テープ材７の１／２幅寸法に適合する寸法として変更し、このときの変更分に応じてスペーサー幅ｄを従属的に調整する。スプール部品５の部品幅ａおよびフランジ厚みｃは、固定の値であるから、巻き幅ｂの増加または減少は、そのままスペーサー幅ｄの減少または増加となり、このときの変更可能な寸法は、スペーサー幅ｄの範囲内となる。
【００３１】
このようにして、スペーサー一体型スプール１の全幅Ａを取付け装置に合わせた一定の値とし、同時にフランジ２のフランジ厚みｃを指定の値に保ったまま、全巻き幅Ｂを長尺テープ材７の幅寸法に適合する値とすることができる。
【実施例１】
【００３２】
１ｍｍ幅の長尺テープ材用のスプールは、全幅１０ｍｍ、フランジ厚み２ｍｍと設定し、巻き幅を１．２ｍｍ（片側０．６ｍｍ）、２つのスペーサー幅４．８ｍｍ（片側２．４ｍｍ幅）となっている。
【実施例２】
【００３３】
５ｍｍ幅の長尺テープ材用のスプールは、全幅１０ｍｍ、フランジ厚み２ｍｍと設定し、巻き幅を５．４ｍｍ（片側２．７ｍｍ）、２つのスペーサー幅０．６ｍｍ（片側０．３ｍｍ幅）となっている。
【００３４】
上記の実施例１および実施例２のように、全幅１０ｍｍ、フランジ厚み２ｍｍ幅と設定した場合に、成形時に、概略１〜５ｍｍ幅の長尺テープ材用のスプールが１つの成形金型で作製でき、これによって、多品種の長尺テープ材に対応できる。また、スプールの長尺テープ材の巻き取り時に、長尺テープ材の巻き取り不良も無く、さらに取付け装置にスプールを取付け、その長尺テープ材の使用時に、送出し不良も無く、良好に使用できた。
【００３５】
以上の例は、２つの同じスプール部品５を左右対称として接合しているが、左右非対称のスプール部品５を接合して、スペーサー一体型スプール１を構成することもできる。図３および図４は、左右非対称形状のスペーサー一体型スプール１の構成例を示している。
【００３６】
まず、図３の構成例は、左側のスプール部品５を図１のものと同じとし、右側のスプール部品５を図１のものと異なる構成となっている。すなわち、右側のスプール部品５では、図１のものに対して、巻き幅ｂが寸法ｅだけ小さく、スペーサー幅ｄが同じ寸法ｅだけ大きく、外側に突出している。このため、接合面６の位置は、中心でなく、中心から右側に変位している。もちろん完成品としてのスペーサー一体型スプール１の全幅Ａは一定であるが、全巻き幅Ｂは〔巻き幅ｂ＋（巻き幅ｂ−寸法ｅ）〕となる。
【００３７】
次に、図４の構成例は、右側のスプール部品５を図３のものと同じとし、左側のスプール部品５を図１や図３のものと異なる構成となっている。すなわち、左側のスプール部品５では、図１のものに対して、巻き幅ｂが寸法ｆだけ小さく、スペーサー幅ｄが同じ寸法ｆだけ大きく、外側に突出している。この例でも、全幅Ａは一定となるが、全巻き幅Ｂは〔（巻き幅ｂ−寸法ｆ）＋（巻き幅ｂ−寸法ｅ）〕となる。なお、接合面６の位置は、中心から左側に変位している。
【００３８】
図３および図４の例は、いずれも巻き幅ｂを小さくしているが、それらの巻き幅ｂを大きくすることもできる。その場合、スペーサー幅ｄは、巻き幅ｂを大きくした分だけ小さくなることになる。
【００３９】
このような左右非対称のスペーサー一体型スプール１は、スペーサー一体型スプール１を自動機の取付け装置に装着するとき、左右一方のスペーサー幅ｄを位置調整用のスペーサとして利用するときに用いられる。例えば、複数のスペーサー一体型スプール１を多連状態で使用する時、最初のスプールを取付け装置の側面よりある一定距離の位置（基準位置）にあわせて装着する必要がある場合、一方のスペーサー幅ｄを所定の値に成型したスプールを用いることで、特別なセット部品を必要とせず装着することができ、同形状のスプールを順次に装着すれば、次のスプール以降のすべてのスプールは、取付け装置に対して一定の間隔を持った状態としてセッティングできる。したがって、全幅Ａが一定であれば、異なる幅の製品（長尺テープ材７）でも調整無しで位置合わせ状態として使用できることになる。
【００４０】
次に図５ないし図７は、スプール部品５の成形金型９、この成形金型９によるスプール部品５の射出成形の順序を示している。図５において、成形金型９は、一対の成形型１１、１２から組み立てられている。一対の成形型１１、１２は、当接状態で、内部にスプール部品５の外形と同じ外形の成形空間１０を形成しており、一方の成形型１１はスペーサー３に対応する位置で円柱状のスペーサー空間１３を形成しており、他方の成形型１２は巻き芯４に対応する位置で巻き芯空間１５を形成している。なお、一対の成形型１１、１２は、図示しないトグル機構などの型締め機構により、互いに開閉自在に設けられている。
【００４１】
スペーサー空間１３は、その内部に円柱状のスペーサー用スライドコア１４を巻き芯４の中心軸線方向に移動自在に保持しており、また巻き芯空間１５は、その内部に巻き芯用スライドコア１６を巻き芯４の中心軸線方向に移動自在に保持している。もちろん、スペーサー用スライドコア１４や巻き芯用スライドコア１６は、それぞれスペーサー空間１３や巻き芯空間１５に対して成形用樹脂の漏れのない嵌まり合い状態で挿入されている。
【００４２】
スペーサー用スライドコア１４および巻き芯用スライドコア１６のいずれか、図示の例によると、巻き芯用スライドコア１６は、軸孔８を形成するために、軸孔８に対応する位置で、部品幅ａの寸法に等しい長さの円柱状の軸孔用スライドコア１７を有している。この軸孔用スライドコア１７は、先端面でスペーサー用スライドコア１４の対向面に当接することによって、スプール部品５の中心軸線方向の寸法を正確に部品幅ａに設定する。なお、フランジ２のフランジ厚みｃは、一対の成形型１１、１２の対向面の窪みによって形成されている。
【００４３】
スペーサー用スライドコア１４および巻き芯用スライドコア１６は、それぞれ油圧シリンダーなどのアクチュエーター１８、１９に連結され、巻き芯４の中心軸線方向に移動可能となっている。以下、スペーサー用スライドコア１４および巻き芯用スライドコア１６のアクチュエーター１８、１９による駆動は直接的に行うものを例示するが、トグル加圧装置などを介して駆動しても良い。これらのアクチュエーター１８、１９は、それぞれ成形型１１、１２の背部に取付けられている。なお、成形型１１の背面側に複数のセットボルト２０がアクチュエーター１８の周囲でその中心に対して等角度で配置されており、成形型１１の雌ねじにねじ込まれている。これらのセットボルト２０の先端は、アクチュエータ１８の後退（図で左に移動）によりスペーサー用スライドコア１４の背面に当接し、その後退限を規制している。係る規制の機能があれば、セットボルト２０は単数としても良い。
【００４４】
スプール部品５の成形に際して、図５のように、アクチュエーター１８の駆動によって、スペーサー用スライドコア１４をセットボルト２０の先端に当接するまで後退させた後、一対の成形型１１、１２を閉じて、成形空間１０を形成するとともに、アクチュエーター１９の駆動によって、巻き芯用スライドコア１６を軸孔用スライドコア１７を介してスペーサー用スライドコア１４に当接する方向に移動させ、軸孔用スライドコア１７の先端面をスペーサー用スライドコア１４の対向面に密着させる。
【００４５】
この状態で、成形空間１０の内部に材料樹脂を射出し、スプール部品５を成形する。成形されたスプール部品５の部品幅ａ、巻き幅ｂ、フランジ厚みｃ、スペーサー幅ｄは、一例として図１のスプール部品５と同じに設定されている。
【００４６】
つぎに、図６に示すように、アクユュエーター１９の駆動によって、巻き芯用スライドコア１６を押し出しながから、例えば成形型１２を可動側として後退させて、一対の成形型１１、１２を開き、軸孔用スライドコア１７をスプール部品５から離型する。
【００４７】
最後に、図７に示すように、アクユュエーター１８の駆動によって、スペーサー用スライドコア１４を押し出し、スペーサー３を固定側の成形型１１から離型させ、スプール部品５を成形空間１０から排出する。
【００４８】
この後に、前記のように、２つの同じスプール部品５は、巻き芯４の端面どうしを接合面６として接着や超音波接合することによって、一定の全幅Ａで、巻き幅Ｂのスペーサー一体型スプール１となる。
【００４９】
上記のように、スプール部品５は単純形状であることから、成形金型９は複雑な構造を持たない金型として製作できる。しかも、成形金型９の内部にスライド構造があるが、スペーサー用スライドコア１４や巻き芯用スライドコア１６は、射出成形時に、成形型１１、１２に固定されるため、成形時の圧力変化にも充分に耐えられる構成とできる。
【００５０】
上記成形金型９において、スプール部品５の巻き幅ｂを巻き付け対象の長尺テープ材７の幅寸法に適合する寸法に任意に変更するときは、図５の状態で、所望の巻き幅ｂに対応するセットボルト２０の突出し量を調整し、スペーサー用スライドコア１４、軸孔用スライドコア１７および巻き芯用スライドコア１６を一対の成形型１１、１２の成形空間１０の内部で密着状態を保ちながらセットボルト２０に当接する方向に移動させ、固定する。この移動時にも、前記のように、スプール部品５の部品幅ａ、フランジ２のフランジ厚みｃは変化せず、一定である。
【００５１】
巻き幅ｂを小さくするときには、セットボルト２０の成形型１１からスペーサー空間１３への突出し量を短くし、スペーサー用スライドコア１４、軸孔用スライドコア１７および巻き芯用スライドコア１６の停止位置を図５において左方向に必要な寸法だけ移動させてセットボルト２０を回動しないよう固定する。これに伴い、スペーサー幅ｄは、巻き幅ｂの減少量だけ増加する。逆に、巻き幅ｂを大きくするときには、セットボルト２０の成形型１１からスペーサー空間１３への突出し量を長くし、スペーサー用スライドコア１４、軸孔用スライドコア１７および巻き芯用スライドコア１６の停止位置を図５において右方向に必要な寸法だけ移動させてセットボルト２０を回動しないよう固定する。これに伴い、スペーサー幅ｄは、巻き幅ｂの増加量だけ減少する。係る巻き幅ｂの調整量に応じて、金型内では、スペーサー幅ｄは、成形型１１の成形空間１０側から見て、スペーサー幅ｄに相当する量だけスペーサー用スライドコア１４をセットボルト２０に向って引き込むことで生じるスペーサー用スライドコア１４の成形空間１０側端面と成形型１１のフランジ２の形成面との段差によって決定される。スペーサー用スライドコア１４の移動に伴って、これに当接する軸孔用スライドコア１７が移動し、軸孔用スライドコア１７を保持する巻き芯用スライドコア１６も移動するので、巻き幅ｂも対応して決定される。従って、巻き幅ｂの変更は、スペーサー幅ｄの範囲内で可能である。
【００５２】
ここでは、金型の構造上、セットボルト２０に近いスペーサー幅ｄが先に決まり、巻き幅ｂが従属して決定される説明となったが、係るスライドコア調整作業に先立って、長尺テープ材７の幅を基準に、巻き幅ｂが先に決定され、これに準じてスペーサー幅ｄを決定しておくという作業が必要である。
【００５３】
このように、同じ成形金型９を使用しながら、スプール部品５の部品幅ａを取付け装置に必要とされる一定の寸法値とし、同時にフランジ２のフランジ厚みｃを指定の値に保ったまま、巻き幅ｂを長尺テープ材７の幅寸法に適合する値に変更することができる。
【００５４】
ちなみに、自動機の取付け装置によって、スペーサー一体型スプール１の全幅Ａが相違していることもある。その場合に、軸孔用スライドコア１７の長さつまり部品幅ａをその取付け装置に適合するように変更するか、または調節できるようにすればよい。部品幅ａの変更は、部品幅ａに等しい長さの軸孔用スライドコア１７を有する巻き芯用スライドコア１６を用い、それを成形型１２に組み込めばよい。
【００５５】
また、部品幅ａの別の調節方法として、図８に示すように、例えばねじを利用することによって実現できる。図８の例において、軸孔用スライドコア１７は、その先端のボルト２２を巻き芯用スライドコア１６の取付け用の孔ねじ２１にねじ込み、ねじ込み量の調節によって、軸孔用スライドコア１７の巻き芯用スライドコア１６からの突き出し長さつまり部品幅ａを所望の寸法としてから、ダブルナット２３でボルト２２を締めつけて固定する。このようにすると、同じ成形金型９を利用して、軸孔用スライドコア１７を作り直すことなく部品幅ａの異なるスプール部品５が成形できることになる。軸孔用スライドコア１７は、スペーサー用スライドコア１４に固定されていてもよい。
【産業上の利用可能性】
【００５６】
本発明は、電子部品用のはんだやアルミ等の長尺テープ材に限らず、他の長尺テープ材の巻き取り用スプールにも利用できる。
【図面の簡単な説明】
【００５７】
【図１】本発明に係るスペーサー一体型スプール１の側面図である。
【図２】本発明に係るスペーサー一体型スプール１の断面図である。
【図３】本発明に係るスペーサー一体型スプール１の他の例の側面図である。
【図４】本発明に係るスペーサー一体型スプール１の他の例の側面図である。
【図５】本発明に係る成形金型９の閉じた状態の断面図である。
【図６】本発明に係る成形金型９の開いた状態の断面図である。
【図７】本発明に係る成形金型９を開いて、その内部からスプール部品５を排出するときの断面図である。
【図８】本発明に係る他の成形金型９の一部の断面図である。
【符号の説明】
【００５８】
１  スペーサー一体型スプール
２  フランジ
３  スペーサー
４  巻き芯
５  スプール部品
６  接合面
７  長尺テープ材
８  軸孔
９  成形金型
１０  成形空間
１１  成形型
１２  成形型
１３  スペーサー空間
１４  スペーサー用スライドコア
１５  巻き芯空間
１６  巻き芯用スライドコア
１７  軸孔用スライドコア
１８  アクユュエーター
１９  アクユュエーター
２０  セットボルト
２１  ねじ孔
２２  ボルト
２３  ダブルナット
Ａ  スペーサー一体型スプール１の全幅
Ｂ  スペーサー一体型スプール１の巻き芯４の全巻き幅
ａ  スプール部品５の部品幅
ｂ  スプール部品５の巻き幅
ｃ  フランジ厚み
ｄ  スペーサー幅
ｅ、ｆ  寸法
【図１】
2010052140.tif 000003
【図２】
2010052140.tif 000004
【図３】
2010052140.tif 000005
【図４】
2010052140.tif 000006
【図５】
2010052140.tif 000007
【図６】
2010052140.tif 000008
【図７】
2010052140.tif 000009
【図８】
2010052140.tif 000010